(57)【要約】【課題】本発明は、若者が入りやすいゲームセンターやカラオケボックスにおいて多種類のダンスを気軽にかつ低廉な金額にて踊ることを可能とすると共に、必要に応じてダンスの教授を可能とする上、ゲームセンターやカラオケボックスの活性化を図ることを課題とする。【解決手段】係る課題はゲームセンター又はカラオケボックス内で、一又は二以上のダンスを踊れる場を有し、ゲームセンター又はカラオケボックスへの来訪者が、そのまま該ダンスを踊れる場にてダンスに興ずることを可能としたダンスを踊れる場の提供方法を用いることにより解決できる。【選択図】　　図１
2004057461.tif 000002
【特許請求の範囲】
【請求項１】
ゲームセンター又はカラオケボックス内において、
一又は二以上のダンスを踊れる場を有し、
ゲームセンター又はカラオケボックスへの来訪者が、そのまま該ダンスを踊れる場にてダンスに興ずることを可能としたことを特徴とするダンスを踊れる場の提供方法。
【請求項２】
一又は二以上のダンスを踊れる場をそれぞれ仕切りを設けて提供するものであることを特徴とする請求項１記載のダンスを踊れる場の提供方法。
【請求項３】
一又は二以上のダンスを踊れる場にインストラクターを配したことを特徴とする請求項１又は２のいずれかに記載のダンスを踊れる場の提供方法。
【請求項４】
二以上のダンスを踊れる場でそれぞれ異なるレベルのダンスの提供を行うことを特徴とする請求項１乃至３のいずれかに記載のダンスを踊れる場の提供方法。
【請求項５】
二以上のダンスを踊れる場でそれぞれ異なるジャンルのダンスの提供を行うことを特徴とする請求項１乃至３のいずれかに記載のダンスを踊れる場の提供方法。
【請求項６】
ゲームセンター又はカラオケボックス内において、
ダンスを踊れる場を有し、
該ダンスを踊れる場には必要に応じてインストラクターを配すると共に、
ゲームセンター又はカラオケボックス来訪者が、該ゲームセンター又はカラオケボックス内においてダンスに興ずることを可能としたことを特徴とするダンス設備。
【請求項７】
ゲームセンター又はカラオケボックス内において、
二以上のダンスを踊れる場を有し、
該ダンスを踊れる場には必要に応じてインストラクターを配すると共に、
ダンスを踊れる場には、それぞれ異なるダンスのレベル又は／及び異なるダンスのジャンルを踊れる音楽又は雰囲気或いは設備を有することを特徴とする請求項６記載のダンス設備。
【発明の詳細な説明】
【０００１】
【発明の属する技術分野】
本発明は、ゲームセンターやカラオケボックスにおいて、内部空間を仕切り、ダンスのレッスン場を設け、ゲームセンターやカラオケボックス内で簡単に誰でもかつ何時でもダンスのレッスンを受けられるダンスを踊れる場の提供方法及びダンス設備に関する。
【０００２】
【従来技術】
従来より、ダンスのレッスンは、ダンス教室やトレーニングジム等において行なっているものである。
この場合、例えばダンス教室にてダンスの教授を受ける場合には予めダンス教室に入会金などの支払いを行い、会員となった上で、当該ダンス教室のレッスン教程に沿って、レッスンのある日及び時間にてダンスの教授を受けているものである。
又、例えばトレーニングの一環としてエアロビクスダンスを行う場合等は、同様に予めトレーニングジムに入会金などの支払いを行って会員となった上で、当該トレーニングジムのレッスン教程に沿ってダンスの教習及びこれに伴いトレーニングを、当該トレーニングジムの日程及び時間に沿って行なっているものである。
【０００３】
【発明が解決しようとする課題】
この場合、特に若年層においては、ダンスの教授を受けたくとも、金銭的理由からダンス教室やトレーニングジム等に通うことができず、たとえこれらに入会したとしてもダンス教室やトレーニングジムの教程や日程に従って教授を受けなければならず、時間的な適合がとれないことが多々あり、結局としてダンスの教授を受けられない場合が多かった。
又、一般的にダンス教室において教えているものはソシアルダンス等の社交ダンスであり、若者が最も希望するパラパラやヒップホップ系のダンス等を教授する所は極めて少ないものである。
【０００４】
従って、多種類のダンスを気軽にかつ低廉な金額にてレッスンを受けられると共に、必要に応じて自己の技量を試す機会を提供することが望まれていた。
又、ゲームセンターやカラオケボックスにおいては、それぞれゲームやカラオケに興ずるものであると共に、同年輩の者が多数集まる場所であるが、特にゲームやカラオケに特化されており、同所にて他の趣向を満足させる事はできにくいものである反面、広い場所の有効活用が望まれていた。
【０００５】
【課題を解決するための手段】
本発明は上記課題を解消し、前記課題を解決するため、まず請求項１に係る発明は、ゲームセンター又はカラオケボックス内において、一又は二以上のダンスを踊れる場を有し、ゲームセンター又はカラオケボックスへの来訪者が、そのまま該ダンスを踊れる場にてダンスに興ずることを可能としたダンスを踊れる場の提供方法を提示するものであり、係る発明により、前記課題を解決できる。
また請求項２に係る発明のように一又は二以上のダンスを踊れる場をそれぞれ仕切りを設けて提供するものであるダンスを踊れる場の提供方法であってもよい。
【０００６】
或いは請求項３に係る発明のように一又は二以上のダンスを踊れる場にインストラクターを配したダンスを踊れる場の提供方法によって、更にダンスの教授等を行なうことを可能とする。
この他請求項４に係る発明のように二以上のダンスを踊れる場でそれぞれ異なるレベルのダンスの提供を行うダンスを踊れる場の提供方法によって、各自の技能に沿ったダンスを行なえる場の提供ができる。
更に請求項５に係る発明のように二以上のダンスを踊れる場でそれぞれ異なるジャンルのダンスの提供を行うダンスを踊れる場の提供方法によって、ダンスに興ずる者の趣向に沿ったダンスの踊れる場の提供が可能となる。
【０００７】
この他請求項６に係る発明のように、ゲームセンター又はカラオケボックス内において、ダンスを踊れる場を有し、該ダンスを踊れる場には必要に応じてインストラクターを配すると共に、ゲームセンター又はカラオケボックス来訪者が、該ゲームセンター又はカラオケボックス内においてダンスに興ずることを可能としたダンス設備によっても、ダンスの場を極めて効率的かつ有効に提供できる。
【０００８】
また請求項７に係る発明のようにゲームセンター又はカラオケボックス内において、二以上のダンスを踊れる場を有し、該ダンスを踊れる場には必要に応じてインストラクターを配すると共に、ダンスを踊れる場には、それぞれ異なるダンスのレベル又は／及び異なるダンスのジャンルを踊れる音楽又は雰囲気或いは設備を有するダンス設備によって、ダンスに興ずる者の趣向に沿ったダンスの踊れる場の提供が可能となる。
【０００９】
【発明の実施の形態】
本発明の実施の形態を説明するに図１は、ゲームセンター内にダンス教室を設けた一例を示す図であり、ゲームセンター１奥に初級用、中級用及び上級用のダンス教室を設けた本発明に係るダンスを踊れる場の提供方法及びダンス設備の一例を示す図である。
このダンス教室を行なうダンスを踊れる場１１、１２、１３にはそれぞれインストラクター２を配して、ダンスの教授を行うものであり、ダンスの教授を極めて手軽にかつ気兼ねなく行えるものである。
特に若者が集まりやすいゲームセンター１内において、行えることから同年輩の者の中でダンスを踊れると共に、ダンスの教授も受けられることとなる。
【００１０】
この場合、誰でも参加できることとして、会員としての登録等は行う必要をなくせば、本ゲームセンターに立ち寄った者は全て自由に踊れることとなる。
又、参加者は例えばそのままの服装で踊ることもでき、土足のままでも踊ることができる。
仮に衣装等が必要であれば別室等で着替えるものであってももちろんよい。
尚、この様なダンス教室に参加する場合には、時間当たりの料金を徴収するものであってももちろんよい。
或いは、会員制とすることによっても本システム又は方法の利点を阻害するものではなく、この様な会員制をとるものであってももちろんよい。
【００１１】
特にこの様な場所で行なうことにより、前述のように誰でも簡単にかつ自己の希望する時間にダンスを踊れると共にその教授を受けられるが、この他該ゲームセンターにいる他の人は、これらの踊りを眺めることができ、楽しく踊っている姿を見ながら及び音楽を聞きながらゲームに興ずることができる。
ゲームセンターにとってみると、ゲームセンター１内の雰囲気を活性化できるばかりでなく、単にゲームをする者のみならずダンスを希望する者の集客を可能とし、更なる活性化が図れるものである。
この様に初級・中級・上級と区分けを行ない、ダンスを踊れる場１１では初級、またダンスを踊れる場１２では中級、更にダンスを踊れる場１３では上級を行ない、それぞれダンスを踊れる場の提供を行なっている状態を示すが、例えばインストラクター２が、それぞれにレベルに応じたレッスンをするものであっても、或いは踊りの見本を示すものであってもよく、更にはインストラクター２をおかずに自由にダンスを踊れる場を提供するものであってももちろんよい。
【００１２】
即ち、ダンスを踊れる場にてダンスに興ずることができ、更にはインストラクター等がいる場合にはダンスの教授を受けられるダンス教室としてダンスを踊れる場を用いることができる。
以上に示すものは、ダンスのレベルに応じた区分けを示すが、これに限らず、ダンスの種類を複数踊れるものとしてもよい。
例えばゲームセンターの一角を複数に仕切り、一の仕切り内においてパラパラのダンスを踊れる場１１を提供し、又別の仕切り内ではヒップホップを踊れる場１２を提供し、更には別の仕切り内でストリート系のダンスを踊れる場１３を提供し、更には別の仕切り内でジャズダンスを踊れる場（図示せず）を提供するものであってもよい。
【００１３】
それぞれ個々人の趣向に応じた異なるジャンルのダンスを踊れる場を提供することができ、各人の趣向に沿わせることができる。
もちろんインストラクター２をおいてもよく、前述の料金徴収形態のほか、例えばインストラクター２が教える場合には、教授料の徴収を行なうものとするものであってももちろんよい。
この他、ソシアルダンスでもよくダンゴやエアロビクス或いは盆踊り、よさこいソーラン踊り等の一般的な踊りから各種の特殊な踊りのジャンルの異なるダンスを踊れるものであってもよい。
【００１４】
以上のように、それぞれ異なるダンスのレベル又は／及び異なるダンスのジャンルを踊れる音楽又は雰囲気或いは設備を有するダンス設備の提供が可能となる。
なお、本図に示すＡはゲームセンターの入り口であり、ａはダンスを踊れる場の入り口を示し、３はゲーム機を示す。
次に本図に示すダンスを踊れる場１１、１２、１３の形態は、三つの仕切りを設けて三種類の踊りを教授又は踊れるためにダンスを踊れる場を三つ有しているが、この他一つの仕切りのみ或いは二つの仕切りのみとしてもよく、更には四つ以上の仕切りを設けて行うものであってもよい。
【００１５】
尚、仕切りを設けず、それぞれステーシ等を設けて区分けをするものであっても或いは線などにより区分けをするものであってもよい。
また、それぞれきっちりと当該ダンスにあった内装を有する部屋に区分けをするものであってもよい。
この他、仕切りをガラス張りとして、聴衆からよく見えるようにしたものであっても、刷ガラスとして見えにくくするものであってもよい。
更には一の仕切りと他の仕切りの間にのみ仕切り板などを配して区分けをしているものであってもよい。
【００１６】
【発明の効果】
１、以上のように本発明に係るダンスを踊れる場の提供方法、即ちゲームセンター又はカラオケボックス内において、一又は二以上のダンスを踊れる場を提供するものであり、これによりゲームセンター又はカラオケボックスへの来訪者が、そのまま該ダンスを踊れる場にてダンスに興ずることができ、だれでも簡単にかつ希望するダンスを踊れることを可能とするという第一の効果を有する。
２、更にゲームセンター又はカラオケボックス内に、ダンスを踊れる場を有するものであり、該ダンスを踊れる場には必要に応じてインストラクターを配することにより、極めて手軽かつ参加者の任意の時にて低廉にてダンスの教授が得られるという第二の効果を有する。
【００１７】
３、また、ダンスを踊れる場を複数設け、それぞれに異なるレベル又はジャンルのダンスを可能とすることにより、ダンスに興ずるものの選別により自己の希望するダンスを適宜踊ることができるという第三の効果を有する。
４、この他、この様なダンス設備は、仕切りなど及び必要な音楽などを有すればたり、ゲームセンター又はカラオケボックス内の空きスペースを有効利用できるものであり、低廉に設置できるという第四の効果を有する。
【図面の簡単な説明】
【図１】本発明に係るダンス設備の一実施の状態を示す図
【符号の説明】
１　　ゲームセンター
１１　　ダンスを踊れる場
１２　　ダンスを踊れる場
１３　　ダンスを踊れる場
２　　インストラクター
３　　ゲーム機
Ａ　　入り口
ａ　　ダンスを踊れる場の入り口
【図１】
2004057461.tif 000003